(57)【特許請求の範囲】
【請求項１】
ナースコール装置に接続される握り押ボタン式子機に装着されて押ボタンの操作を介助するアタッチメントであって、
前記握り押ボタン式子機の胴部の外面から離れて配置されて前記押ボタンの押し込み方向に対して交差する方向へ可撓性を有する把持部と、
前記押ボタンの押し込み方向と反対の方向に延びた前記把持部の前記押ボタンを挟む両側に設けられる一対の支持部に、前記押ボタンを越えて保持され、前記押ボタンの押し込み方向と交差する前記胴部に向かう方向へ前記把持部を接近させることで、前記押ボタンを押圧するレバー部と
を備えることを特徴とする握り押ボタン用のアタッチメント。
【請求項２】
前記握り押ボタン式子機がコードを接続した基部に対して先端側に前記押ボタンを備えたものである場合に、
前記把持部は、前記基部側で前記握り押ボタン式子機に固定され、前記押ボタン側まで前記胴部に対して隙間を有して延びている
ことを特徴とする請求項１に記載の握り押ボタン用のアタッチメント。
【請求項３】
前記レバー部は、前記支持部を結ぶ線分よりも前記押ボタン側に曲がることを特徴とする請求項１又は請求項２に記載の握り押ボタン用のアタッチメント。
【請求項４】
前記レバー部は、前記支持部から前記押ボタンに向けて直線的に延びて、前記支持部を中心に回動する一対のアームで構成され、
前記アームは、互に抜脱可能に連結されていることを特徴とする請求項１又は請求項２に記載の握り押ボタン用のアタッチメント。
【請求項５】
前記支持部は、前記押ボタンの押し込み方向に向かって前記胴部から離れる方向へ傾斜する案内部を有し、
前記レバー部は、前記押ボタンに当接する当接部と、前記支持部が互に接近することで前記案内部に案内されて前記押ボタンを押し込む方向に前記当接部を付勢する摺接部と
を有することを特徴とする請求項１に記載の握り押ボタン用のアタッチメント。
【請求項６】
前記レバー部は、前記押ボタンの押し込み方向と反対方向へ前記支持部よりも突出した補助部とを有することを特徴とする請求項１に記載の握り押ボタン用のアタッチメント。
【発明の詳細な説明】
【技術分野】
【０００１】
本発明は、ナースコール装置に接続される握り押ボタン式子機に装着される握り押ボタン用のアタッチメントに関する。
【背景技術】
【０００２】
ナースコール装置に接続される握り押ボタン式子機は、必要に応じて看護者を呼び出せるように入院者に個別に割り当てられている。握り押ボタン式子機は、掌に納まる胴部と、この胴部の端部に設けられた押ボタンとを有している。したがって、握り押ボタン式子機を片手で操作する場合、押ボタンは、親指で操作される。
【０００３】
ところで、把持力が弱い入院者のために、握り押ボタン式子機を掌の中に保持しておくためのナースコールホルダが特許文献１に開示されている。このナースコールホルダを装着した握り押ボタン式子機は、親指で押ボタンを操作するように構成されている。
【特許文献１】特開２００５−５８４５５号公報
【発明の開示】
【発明が解決しようとする課題】
【０００４】
しかしながら、入院者の把持力が弱い場合には、親指の筋力も相対的に低下していることが多いので、親指で押ボタンを押すことが困難になってしまうという問題点があった。特に、握り押ボタン式子機は、親指で操作することが前提となって造られているものが多い。したがって、他の４本の指に十分な筋力があっても、操作しづらくなってしまう。
【０００５】
そこで、本発明は、親指を使用しなくても握り押ボタン式子機を弱い把持力で操作することを可能にする握り押ボタン用のアタッチメントを提供する。
【課題を解決するための手段】
【０００６】
本発明に係る握り押ボタン用のアタッチメントは、ナースコール装置に接続される握り押ボタン式子機に装着されて押ボタンの操作を介助する。このアタッチメントは、把持部とレバー部とを備える。把持部は、握り押ボタン式子機の胴部の外面から離れて配置され、押ボタンの押し込み方向に対して交差する方向へ可撓性を有する。レバー部は、押ボタンを挟む両側に一対に、押ボタンの押し込み方向と反対の方向へ延びた把持部に設けられる支持部に、押ボタンを越えて保持され、押ボタンの押し込み方向と交差する方向へ把持部を胴部に向けて接近させることで、押ボタンを押圧する。
【０００７】
また、本発明の他の態様によれば、レバー部は、支持部から押ボタンに向けて直線的に延びて、支持部を中心に回動する一対のアームで構成され、このアームが、互に抜脱可能に連結されている。
【０００８】
また、本発明の他の態様によれば、支持部に案内部を有し、レバー部に当接部と摺接部とを有する。案内部は、押ボタンの押し込み方向に向かって胴部から離れる方向へ傾斜している。当接部は、押ボタンに当接し、摺接部は、支持部が互に接近することで押ボタンを押し込む方向へ当接部を付勢する。また、レバー部は、押ボタンの押し込み方向と反対方向へ支持部よりも突出した補助部を備える。
【発明の効果】
【０００９】
上記のように構成した本発明によれば、把持部を握ることで把持部が互に接近すると、レバー部が押ボタンを押し込む方向へ付勢されるので、押ボタンを操作することができる。したがって、親指を使わなくても押ボタンを押すことができる。
【００１０】
また、本発明の他の態様によれば、アームが互いに抜脱可能に連結されているので、アームを抜脱した状態で握り押ボタン式子機を容易に着脱することができる。
【００１１】
また、本発明の他の態様によれば、把持部を握ることにより押ボタンを操作できることに加え、案内部により押ボタンの押し込み方向へ案内されるレバー部に設けた補助部を押すことによっても当接部により押ボタンが操作されるので、押ボタンを親指で操作することもできる。これにより、アタッチメントを装着したままでも親指による操作を行うことができる。
【発明を実施するための最良の形態】
【００１２】
本発明に係る第１の実施形態のアタッチメント１について、図１から図４を参照して説明する。図１に示すアタッチメント１は、握り押ボタン式子機１００に装着される。ここで、握り押ボタン式子機１００は、ナースコール装置に接続される子機の一形態である。また、握り押ボタン式子機１００は、押ボタン１０１と胴部１０２とコード１０３とを備えており、胴部１０２は、基部１０２ａと先端部１０２ｂとを備えている。
【００１３】
胴部１０２は、利用者が握りやすいように、かつ、清拭性を考慮して、滑らかな外形を有している。押ボタン１０１は、コード１０３が延びる基部１０２ａに対して反対側の先端部１０２ｂに表面を露出している。ここで、押ボタン１０１は、先端部１０２ｂから基部１０２ａに向かって押ボタン１０１を押し込むことにより操作可能である。また、押ボタン１０１を押し込んでいない状態では、押ボタン１０１の取付位置に設けたバネなどにより押ボタン１０１は、元の位置に戻るようになっている。
【００１４】
アタッチメント１は、特に、握力が低下した入院者が握り押ボタン式子機１００に設けられる押ボタン１０１を操作することを介助するためのものである。アタッチメント１は、把持部１０とレバー部２０とを備える。
【００１５】
把持部１０は、基部１０２ａ側で握り押ボタン式子機１００に固定され、押ボタン１０１側まで隙間を有したまま胴部１０２に沿って基部１０２ａから一対に延びている。把持部１０は、握り押ボタン式子機１００の押ボタン１０１を押し込む方向Ｐに対して交差する胴部１０２へ向かう方向Ｇへ十分な可撓性を有している。また、把持部１０の外面には、滑り止めのための凹部１１が複数設けられている。
【００１６】
また、把持部１０の基部１０２ａ側には、握り押ボタン式子機１００をアタッチメント１に固定する固定端１２が設けられている。把持部１０の固定端１２の内部は、図２に示すように握り押ボタン式子機１００の外形に沿ってすり鉢形状に形成されている。また、把持部１０の間を通るスリット１３が固定端１２に設けられている。このスリット１３は、握り押ボタン式子機１００をアタッチメント１に着脱する際に、コード１０３を通すためのものである。
【００１７】
レバー部２０は、押ボタン１０１に対して押し込む方向Ｐと反対の方向へ一対に延びた把持部１０の可撓端１４に設けられる支持部１５で把持部１０と一体に成形されている。また、レバー部２０は、押ボタン１０１を越える位置に保持され、図２に示すように中央部が押ボタン１０１に当接している。レバー部２０は、第１のアーム２１と第２のアーム２２とで構成されている。
【００１８】
第１のアーム２１と第２のアーム２２とは、それぞれ支持部１５を中心に押ボタン１０１に向かって回動可能であり、図４に示すように中央部で抜脱可能に連結される。図２乃至図４に示すように、第１のアーム２１の回動端にメス型嵌合部２１ａが形成され、第２のアーム２２の回動端にオス型嵌合部２２ａが形成されている。
【００１９】
また、第１のアーム２１と第２のアーム２２とは、それぞれ支持部１５から直線的に押ボタン１０１に向かって延びている。ここで、第１のアーム２１と第２のアーム２２とが連結された結合部２０ａは、第１のアーム２１および第２のアーム２２がそれぞれ回動する中心軸と平行な軸を中心に屈曲することが可能である。この結合部２０ａは、図２に示すように、支持部１５を結ぶ線分Ａよりも押ボタン１０１側に偏った位置に配置される。
【００２０】
以上のように構成されたアタッチメント１の把持部１０を図１に示すように外側から握り、把持部１０を押ボタン１０１の押し込む方向Ｐと交差する胴部１０２へ向かう方向Ｇへ接近させることで、レバー部２０の第１のアーム２１と第２のアーム２２とが互に突っ張りあい、結合部２０ａは、押ボタン１０１を押し込む方向Ｐへ付勢される。
【００２１】
したがって、握り押ボタン式子機１００にこのアタッチメント１が装着されていれば、握力が低下し、特に親指を十分に動かし難い入院者は、把持部１０を握ることで、押ボタン１０１を親指で押すのと同じように操作することができる。また、本実施形態のアタッチメント１は、構造も簡単であり、安価に製造することができる。
【００２２】
さらに、このアタッチメント１は、部品点数が少ない。図４に示すように、レバー部２０の第１のアーム２１と第２のアーム２２との結合部２０ａを外すことで、アタッチメント１は、簡単に握り押ボタン式子機１００に取り付け、取り外しすることができる。したがって、汚れが付着した場合にも、直ぐにはずして洗浄することができる。
【００２３】
アタッチメント１の材料としては、第１のアーム２１および第２のアーム２２が支持部１５を支点に繰り返し折曲げられること、把持部１０が十分な可撓性を維持できることを考慮した材料、かつ、アルコールで溶解することなく、薬品によって劣化し難い材料が望ましい。具体的には、ポリエチレン、ポリプロピレン、ポリエチレンビニル等が良い。
【００２４】
また、上記したポリエチレン、ポリプロピレン、ポリエチレンビニル等の材料に蓄光性を持つ材料を混ぜることで、アタッチメント１を夜間でも視認可能とすることができる。
【００２５】
次に、本発明に係る第２の実施形態のアタッチメントについて、図５を参照して説明する。このアタッチメント１Ａは、第１の実施形態に記載のアタッチメント１と比べて、レバー部２０Ａの構造が異なる。第１の実施形態のアタッチメント１と同じ機能を有する構成は、同一の符号を付してその説明を省略する。
【００２６】
レバー部２０Ａは、中央部でやや薄くなるよう形成された一続きのプレートであり、両方の端部２３が、把持部１０の可撓端１４に形成された支持部１５Ａに回動可能に連結されている。レバー部２０Ａは、支持部１５Ａを結ぶ線分Ａよりも押ボタン１０１側に湾曲しており、中央部が押ボタン１０１に当接している。
【００２７】
把持部１０を握ると支持部１５Ａが互に押ボタン１０１を押し込む方向Ｐと交差する方向Ｇへ接近する。その結果、レバー部２０Ａは、撓んで、押ボタン１０１を付勢する方向Ｐへさらに曲げられる。特に、中央部がやや薄く形成されているので曲がりやすい。
【００２８】
このように、把持部１０を軽く握ることで、第１の実施形態と同様にレバー部２０Ａが押ボタン１０１を押圧する。握力が弱く、親指に十分な力が入らない場合でも、このアタッチメント１Ａは、押ボタン１０１を操作する動作を介助するので、握り押ボタン式子機１００を軽い力で簡単に操作することができる。
【００２９】
レバー部２０Ａは、両方の端部２３ともに取外し可能に連結する代わりに、どちらか一方が取外し可能で、他方が第１の実施形態と同様に支持部１５で把持部１０と一続きに成形されていても良い。
【００３０】
次に、本発明に係る第３の実施形態のアタッチメント１Ｂについて、図６を参照して説明する。このアタッチメント１Ｂは、第１の実施形態のアタッチメント１および第２の実施形態のアタッチメント１Ａと比べて、レバー部２０Ｂの構造が異なる。第１の実施形態のアタッチメント１と同じ機能を有する構成については、同一の符号を付してその説明を省略する。
【００３１】
このアタッチメント１Ｂは、カム孔３１（特許請求の範囲の案内部に該当する）が形成されて把持部１０の可撓端１４に取り付けられたカムピース３０（特許請求の範囲の支持部に該当する）と、レバー部２０Ｂとなる浮動子４０とを有している。浮動子４０は、押ボタン１０１に接する当接部４１と、カム孔３１に案内されるピン４２と、カムピース３０よりも押ボタン１０１の押し込む方向Ｐと反対方向へ膨出する補助部４３とを備える。
【００３２】
カム孔３１は、押ボタン１０１の押し込む方向Ｐへ向かうにつれて握り押ボタン式子機１００の胴部１０２から離れる方向へ傾斜している。浮動子４０のピン４２は、カムピース３０が互に接近する方向Ｇへ移動することでテーパ面となるカム孔３１と迫合い、押ボタン１０１を押し込む方向Ｐへ変位する。
【００３３】
押ボタン１０１を押し込む方向Ｐと交差する胴部１０２に向かう方向Ｇへ把持部１０を握り締めると、押ボタン１０１を押し込む方向Ｐへカム孔３１がピン４２を案内し、浮動子４０が押ボタン１０１を押し込む方向Ｐへ変位する。この結果、当接部４１は、押ボタン１０１を付勢する。このアタッチメント１Ｂは、浮動子４０に補助部４３を有しているので、把持部１０を握ることにより押ボタン１０１を操作できることに加え、補助部４３を直接押すことで当接部４１が押ボタン１０１を付勢して、押ボタン１０１を操作することができる。これにより、アタッチメント１Ｂを装着したままでも親指による操作を行うことができる。
【００３４】
なお、前述した実施形態では、把持部１０とレバー部２０とを一体的に形成しているが、これに限定されない。例えば、把持部とレバー部とを別体とし、ヒンジなどにより接続するようにしても良い。
【００３５】
また、前述した実施形態では、把持部１０を握ることで押ボタン１０１を操作しているが、これに限定されない。例えば、把持部１０の一方の側面を壁面やベッドなどに固定し、他方の側面を掌や手の甲などで押すことで押ボタン１０１を操作するようにしても良い。
【００３６】
その他、上記実施形態は、本発明を実施するにあたっての具体化の一例を示したものに過ぎず、これによって本発明の技術的範囲が限定的に解釈されてはならないものである。すなわち、本発明はその精神、又はその主要な特徴から逸脱することなく、様々な形で実施することができる。
【図面の簡単な説明】
【００３７】
【図１】本発明に係る第１の実施形態のアタッチメントを握り押ボタン式子機に装着した状態を示す斜視図。
【図２】図１に示したアタッチメントの断面図。
【図３】図２に示したアタッチメントが操作された状態の断面図。
【図４】図１に示したアタッチメントを握り押ボタン式子機に装着する途中の斜視図。
【図５】本発明に係る第２の実施形態のアタッチメントのレバー部近傍を示す断面図。
【図６】本発明に係る第３の実施形態のアタッチメントのレバー部近傍を示す断面図。
【符号の説明】
【００３８】
１，１Ａ，１Ｂ…アタッチメント、１０…把持部、１５，１５Ａ…支持部、２０，２０Ａ，２０Ｂ…レバー部、１００…握り押ボタン式子機、１０１…押ボタン、１０２…胴部、Ａ…（支持部を結ぶ）線分、Ｐ…（押ボタンを押し込む）方向、Ｇ…（方向Ｐと交差する）方向。
【図１】
0004728798.tif 000002
【図２】
0004728798.tif 000003
【図３】
0004728798.tif 000004
【図４】
0004728798.tif 000005
【図５】
0004728798.tif 000006
【図６】
0004728798.tif 000007